(57)【特許請求の範囲】
【請求項１】
本線の映像又は音声を表す第１のデータとともに、前記第１のデータと同じ内容を示し、前記第１のデータよりもデータ量が少ない第２のデータと、この第２のデータに関するメタデータとを含むプロキシ編集用のデータが記録された着脱可能な記録媒体の装着を検出する検出手段と、
電源が投入されている状態で前記記録媒体が装着されたことに応じて、または、前記記録媒体が装着されている状態で電源が投入されたことに応じて、前記第２のデータが他の記録媒体に記録されているか否かを判定する判定手段と、
前記第２のデータが前記他の記録媒体にまだ記録されていない場合、自動的に、前記第１のデータおよびプロキシ編集用のデータのうちの、前記プロキシ編集用のデータのみを、前記他の記録媒体に記録させる記録制御手段と
を備えることを特徴とする情報処理装置。
【請求項２】
前記記録制御手段による、前記プロキシ編集用のデータの前記他の記録媒体への記録は、自動複写モードが設定されている場合に行われるものとし、
前記記録媒体に記録されている前記プロキシ編集用のデータを前記他の記録媒体に記録するときに、ユーザにより操作される操作手段をさらに備え、
前記自動複写モードと異なる、手動モードが設定されている状態において、前記記録媒体が装着され、さらに、前記操作手段に対する操作により、前記記録媒体に記録されている前記プロキシ編集用のデータを前記他の記録媒体に記録させることが指示されたとき、前記プロキシ編集用のデータが、前記他の記録媒体に記録される
ことを特徴とする請求項１に記載の情報処理装置。
【請求項３】
前記記録制御手段は、所定の通信路を介して接続されるドライブに装着された前記記録媒体に記録されている前記プロキシ編集用のデータを、前記他の記録媒体に記録させる
ことを特徴とする請求項１に記載の情報処理装置。
【請求項４】
前記他の記録媒体をさらに備える
ことを特徴とする請求項１に記載の情報処理装置。
【請求項５】
編集の画面に表示させる代表画を、前記第２のデータに基づいて生成する生成手段をさらに備え、
前記記録制御手段は、前記プロキシ編集用のデータの前記他の記録媒体への記録に伴って、前記生成手段に前記代表画を生成させ、前記プロキシ編集用のデータとともに、前記生成手段により生成された前記代表画を前記他の記録媒体に記録させる
ことを特徴とする請求項１に記載の情報処理装置。
【請求項６】
前記記録媒体に記録されているデータのうちの映像データを構成するフレームの少なくとも一部には、そのフレームの特徴を表す特徴情報が予め設定されており、
前記生成手段は、前記第２のデータに基づいて、前記特徴情報が設定されているフレームの静止画像を、前記代表画として生成する
ことを特徴とする請求項５に記載の情報処理装置。
【請求項７】
前記プロキシ編集用のデータの自動複写モードを設定する設定手段をさらに備え、
前記記録制御手段は、前記自動複写モードが設定されている状態で、前記記録媒体が装着されたことに応じて、または、前記記録媒体が装着されているときに電源が投入されたことに応じて、前記プロキシ編集用のデータを前記他の記録媒体に自動的に記録させる
ことを特徴とする請求項１に記載の情報処理装置。
【請求項８】
前記設定手段は、所定の手動スイッチがユーザにより操作されることに応じて前記自動複写モードを設定する
ことを特徴とする請求項７に記載の情報処理装置。
【請求項９】
本線の映像又は音声を表す第１のデータとともに、前記第１のデータと同じ内容を示し、前記第１のデータよりもデータ量が少ない第２のデータと、この第２のデータに関するメタデータとを含むプロキシ編集用のデータが記録された着脱可能な記録媒体の装着を検出する検出ステップと、
電源が投入されている状態で前記記録媒体が装着されたことに応じて、または、前記記録媒体が装着されている状態で電源が投入されたことに応じて、前記第２のデータが他の記録媒体に記録されているか否かを判定する判定ステップと、
前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御ステップと
を含むことを特徴とする情報処理方法。
【請求項１０】
本線の映像又は音声を表す第１のデータとともに、前記第１のデータと同じ内容を示し、前記第１のデータよりもデータ量が少ない第２のデータと、この第２のデータに関するメタデータとを含むプロキシ編集用のデータが記録された着脱可能な記録媒体の装着を検出する検出ステップと、
電源が投入されている状態で前記記録媒体が装着されたことに応じて、または、前記記録媒体が装着されている状態で電源が投入されたことに応じて、前記第２のデータが他の記録媒体に記録されているか否かを判定する判定ステップと、
前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御ステップと
を含むことを特徴とするコンピュータが読み取り可能なプログラム。
【発明の詳細な説明】
【０００１】
【発明の属する技術分野】
本発明は、情報処理装置および方法、並びにプログラムに関し、特に、容易に、かつ、迅速に、編集を開始することができるようにする情報処理装置および方法、並びにプログラムに関する。
【０００２】
【従来の技術】
近年、その大容量化やデータ転送速度の向上により、光ディスクを、放送業務用のビデオカメラの記録媒体として用いることができるようになってきている。例えば、青紫色発光ダイオードにより映像や音声のデータが記録される光ディスクの記録容量は、片面１層の記録方式で約２３GBにもなり、また、データの転送速度（記録レート）は、圧縮率によっても異なるが５０Mbps以上にも及ぶ。
【０００３】
そして、このような光ディスクと放送業務用ビデオカメラを用いた撮影によっては、取り込んだ映像を、画質の劣化などが生じないように比較的低い圧縮率で圧縮した本線データの他に、本線データよりも高い圧縮率で圧縮したプロキシビデオデータ（低解像度の映像データ）なども光ディスクに記録される（特許文献１）。
【０００４】
なお、取り込んだ音声についても、本線の音声データの他、必要に応じて、高圧縮率のプロキシオーディオデータ（音声データ）が作成される。
【０００５】
プロキシビデオデータやプロキシオーディオデータは、近年、一般的に行われている、いわゆるノンリニア編集を行うためのデータであり、パーソナルコンピュータに取り込まれた後、編集の素材とされる。すなわち、パーソナルコンピュータなどでノンリニア編集を行う場合、その処理能力が不足することから、上述したような高記録レートの本線データを、直接、編集の素材とすることができない。
【０００６】
このように、プロキシビデオデータを素材として行われる編集はプロキシ編集と呼ばれることがあり、このプロキシ編集は、例えば、撮影現場などで簡易な編集として行われる。プロキシ編集の結果は、例えば、光ディスクに記録された状態で配送される本線データとは別に、最終的な放送用データを作成するスタジオの装置などに、ネットワークを介して送信される。そして、そのスタジオにおいて、プロキシ編集の結果に基づく本線データの編集が行われ、最終的な、放送用の映像データが作成される。
【０００７】
【特許文献１】
国際公開第０１／６００６２号パンフレット
【０００８】
【発明が解決しようとする課題】
ところで、この撮影現場でのプロキシ編集を、ハードディスクを内蔵する光ディスク装置を用いて行うためには、その編集者は、撮影済みの光ディスクをビデオカメラから取り出した後、それを光ディスク装置に装着し、光ディスク装置を操作して、ハードディスクに取り込むプロキシビデオデータやプロキシオーディオデータ（ファイル）を選択する、一連の作業を行う必要がある。
【０００９】
従って、長時間の撮影により、複数枚の光ディスクにわたって映像や音声データが記録されている場合には、編集者は、編集を開始するために、その一連の作業を光ディスクの枚数分だけ行う必要があり、プロキシ編集を行うまでの作業が繁雑であるという課題があった。
【００１０】
本発明はこのような状況に鑑みてなされたものであり、容易に、かつ、迅速に、編集を開始することができるようにするものである。
【００１１】
【課題を解決するための手段】
本発明の情報処理装置は、本線の映像又は音声を表す第１のデータとともに、第１のデータと同じ内容を示し、第１のデータよりもデータ量が少ない第２のデータと、この第２のデータに関するメタデータとを含むプロキシ編集用のデータが記録された着脱可能な記録媒体の装着を検出する検出手段と、電源が投入されている状態で記録媒体が装着されたことに応じて、または、記録媒体が装着されている状態で電源が投入されたことに応じて、前記第２のデータが他の記録媒体に記録されているか否かを判定する判定手段と、前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御手段とを備えることを特徴とする。
【００１２】
本発明の情報処理装置は、記録制御手段による、プロキシ編集用のデータの他の記録媒体への記録は、自動複写モードが設定されている場合に行われるものとし、記録媒体に記録されているプロキシ編集用のデータを他の記録媒体に記録するときに、ユーザにより操作される操作手段をさらに備え、自動複写モードと異なる、手動モードが設定されている状態において、記録媒体が装着され、さらに、操作手段に対する操作により、記録媒体に記録されているプロキシ編集用のデータを他の記録媒体に記録させることが指示されたとき、プロキシ編集用のデータが、他の記録媒体に記録されるようにすることができる。
【００１３】
記録制御手段は、所定の通信路を介して接続されるドライブに装着された記録媒体に記録されているプロキシ編集用のデータを、他の記録媒体に記録させるようにすることができる。
【００１４】
本発明の情報処理装置は、他の記録媒体をさらに備えるようにすることができる。
【００１７】
本発明の情報処理装置は、編集の画面に表示させる代表画を、前記第２のデータに基づいて生成する生成手段をさらに備えるようにすることができる。この場合、記録制御手段は、プロキシ編集用のデータの他の記録媒体への記録に伴って、生成手段に代表画を生成させ、プロキシ編集用のデータとともに、生成手段により生成された代表画を他の記録媒体に記録させる。
【００１８】
本発明の情報処理装置は、記録媒体に記録されているデータのうちの映像データを構成するフレームの少なくとも一部には、そのフレームの特徴を表す特徴情報が予め設定されており、生成手段は、第２のデータに基づいて、特徴情報が設定されているフレームの静止画像を、代表画として生成するようにすることができる。
【００１９】
本発明の情報処理装置は、プロキシ編集用のデータの自動複写モードを設定する設定手段をさらに備えるようにすることができる。この場合、記録制御手段は、自動複写モードが設定されている状態で、記録媒体が装着されたことに応じて、または、記録媒体が装着されているときに電源が投入されたことに応じて、プロキシ編集用のデータを他の記録媒体に自動的に記録させる。
【００２０】
設定手段は、所定の手動スイッチがユーザにより操作されることに応じて自動複写モードを設定するようにすることができる。
【００２１】
本発明の情報処理方法は、本線の映像又は音声を表す第１のデータとともに、第１のデータと同じ内容を示し、第１のデータよりもデータ量が少ない第２のデータと、この第２のデータに関するメタデータとを含むプロキシ編集用のデータが記録された着脱可能な記録媒体の装着を検出する検出ステップと、電源が投入されている状態で記録媒体が装着されたことに応じて、または、記録媒体が装着されている状態で電源が投入されたことに応じて、前記第２のデータが他の記録媒体に記録されているか否かを判定する判定ステップと、前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御ステップとを含むことを特徴とする。
【００２２】
本発明のプログラムは、本線の映像又は音声を表す第１のデータとともに、第１のデータと同じ内容を示し、第１のデータよりもデータ量が少ない第２のデータと、この第２のデータに関するメタデータとを含むプロキシ編集用のデータが記録された着脱可能な記録媒体の装着を検出する検出ステップと、電源が投入されている状態で記録媒体が装着されたことに応じて、または、記録媒体が装着されている状態で電源が投入されたことに応じて、前記第２のデータが他の記録媒体に記録されているか否かを判定する判定ステップと、前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御ステップとを含むことを特徴とする。
【００２３】
本発明の情報処理装置および方法、並びにプログラムにおいては、本線の映像又は音声を表す第１のデータとともに、第１のデータと同じ内容を示し、第１のデータよりもデータ量が少ない第２のデータと、この第２のデータに関するメタデータとを含むプロキシ編集用のデータが記録された着脱可能な記録媒体の装着が検出され、電源が投入されている状態で記録媒体が装着されたことに応じて、または、記録媒体が装着されている状態で電源が投入されたことに応じて、第２のデータが他の記録媒体に記録されているか否かが判定される。また、第２のデータが他の記録媒体にまだ記録されていない場合、自動的に、第１のデータおよびプロキシ編集用のデータのうちの、プロキシ編集用のデータのみが、他の記録媒体に記録される。
【００２４】
【発明の実施の形態】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００２５】
請求項１に記載の情報処理装置（例えば、図１の光ディスク装置１）は、本線の映像又は音声を表す第１のデータとともに、前記第１のデータと同じ内容を示し、前記第１のデータよりもデータ量が少ない第２のデータと、この第2のデータに関するメタデータとを含むプロキシ編集用のデータが記録された着脱可能な記録媒体（例えば、図１の光ディスク２）の装着を検出する検出手段（例えば、図５の検出部９１）と、電源が投入されている状態で前記記録媒体が装着されたことに応じて、または、前記記録媒体が装着されている状態で電源が投入されたことに応じて、前記第２のデータが他の記録媒体に記録されているか否かを判定する判定手段と、前記第２のデータが前記他の記録媒体にまだ記録されていない場合、自動的に、前記第１のデータおよびプロキシ編集用のデータのうちの、前記プロキシ編集用のデータのみを、他の記録媒体（例えば、図５のHDD４６）に記録させる記録制御手段（例えば、図５の書き込み部９６）とを備えることを特徴とする。
【００２６】
請求項２に記載の情報処理装置は、前記記録制御手段による、前記プロキシ編集用のデータの前記他の記録媒体への記録は、自動複写モードが設定されている場合に行われるものとし、前記記録媒体に記録されている前記プロキシ編集用のデータを前記他の記録媒体に記録するときに、ユーザにより操作される操作手段（例えば、記録開始ボタン）をさらに備え、前記自動複写モードと異なる、手動モードが設定されている状態において、前記記録媒体が装着され、さらに、前記操作手段に対する操作により、前記記録媒体に記録されている前記プロキシ編集用のデータを前記他の記録媒体に記録させることが指示されたとき、前記プロキシ編集用のデータが、前記他の記録媒体に記録されることを特徴とする。
【００２７】
請求項３に記載の情報処理装置（この場合、情報処理装置は、例えば、図１３Ａのパーソナルコンピュータ２０１に対応する）の記録制御手段は、所定の通信路（例えば、図１３Aのケーブル２０２）を介して接続されるドライブに装着された記録媒体に記録されているプロキシ編集用のデータを、他の記録媒体（この場合、他の記録媒体は、例えば、図１５のHDD２１８に対応する）に記録させることを特徴とする。
【００２８】
請求項４に記載の情報処理装置は、他の記録媒体をさらに備えることを特徴とする。
【００３１】
請求項５に記載の情報処理装置は、編集の画面に表示させる代表画を、前記第２のデータに基づいて生成する生成手段（例えば、図５の代表画生成部９７）をさらに備え、前記記録制御手段は、前記プロキシ編集用のデータの前記他の記録媒体への記録に伴って、前記生成手段に前記代表画を生成させ、前記プロキシ編集用のデータとともに、前記生成手段により生成された前記代表画を前記他の記録媒体に記録させることを特徴とする。
【００３２】
請求項６に記載の情報処理装置が処理する記録媒体に記録されているデータのうちの映像データを構成するフレームの少なくとも一部には、そのフレームの特徴を表す特徴情報（例えば、エッセンスマーク）が予め設定されており、生成手段は、第２のデータに基づいて、特徴情報が設定されているフレームの静止画像を、映像の一部として生成することを特徴とする。
【００３３】
請求項７に記載の情報処理装置は、前記プロキシ編集用のデータの自動複写モードを設定する設定手段（例えば、図５のモード設定部９４）をさらに備え、前記記録制御手段は、前記自動複写モードが設定されている状態で、記録媒体が装着されたことに応じて、または、前記記録媒体が装着されているときに電源が投入されたことに応じて、前記プロキシ編集用のデータを前記他の記録媒体に自動的に記録させることを特徴とする。
【００３４】
請求項８に記載の情報処理装置の設定手段は、所定の手動スイッチがユーザにより操作されることに応じて自動複写モードを設定することを特徴とする。
【００３５】
請求項９に記載の情報処理方法は、本線の映像又は音声を表す第１のデータとともに、前記第１のデータと同じ内容を示し、前記第１のデータよりもデータ量が少ない第２のデータと、この第２のデータに関するメタデータとを含むプロキシ編集用のデータが記録された着脱可能な記録媒体の装着を検出する検出ステップ（例えば、図２０のステップＳ１３１）と、電源が投入されている状態で前記記録媒体が装着されたことに応じて、または、前記記録媒体が装着されている状態で電源が投入されたことに応じて、前記第２のデータが他の記録媒体に記録されているか否かを判定する判定ステップと、前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御ステップ（例えば、図８のステップＳ９）とを含むことを特徴とする。
【００３６】
請求項１０に記載のプログラムは、本線の映像又は音声を表す第１のデータとともに、前記第１のデータと同じ内容を示し、前記第１のデータよりもデータ量が少ない第２のデータと、この第２のデータに関するメタデータとを含むプロキシ編集用のデータが記録された着脱可能な記録媒体の装着を検出する検出ステップ（例えば、図２０のステップＳ１３１）と、電源が投入されている状態で前記記録媒体が装着されたことに応じて、または、前記記録媒体が装着されている状態で電源が投入されたことに応じて、前記第２のデータが他の記録媒体に記録されているか否かを判定する判定ステップと、前記第２のデータが前記他の記録媒体にまだ記録されていない場合、自動的に、前記第１のデータおよびプロキシ編集用のデータのうちの、前記プロキシ編集用のデータのみを、他の記録媒体に記録させる記録制御ステップ（例えば、図８のステップＳ９）とを含むことを特徴とする。
【００３７】
図１は、本発明を適用した光ディスク装置１と、光ディスク装置１に着脱可能な記録媒体である光ディスク２を示す図である。
【００３８】
光ディスク装置１は、例えば、撮影現場で簡易な編集を行うための装置であり、図示せぬビデオカメラで撮影された映像や音声のデータが記録された光ディスク２が装着される。撮影済みの光ディスク２には、本線のビデオデータ（映像データ）の他、それを低解像度のデータとしたプロキシビデオーデータが記録されている。また、本線のオーディオデータ（音声データ）をさらに圧縮して得られたプロキシオーディオデータなども、必要に応じて、ビデオカメラによる撮影時に作成され、光ディスク２に記録されている。
【００３９】
このプロキシビデオーデータとプロキシオーディオデータは、編集者である光ディスク装置１のユーザがプロキシ編集（図２）を行うため、或いは、ロギング（図３）を行うためのプロキシ編集用のデータとして用いられる。以下、プロキシビデオーデータとプロキシオーディオデータを個々に区別する必要がない場合、まとめて、プロキシデータと称する。
【００４０】
すなわち、図２に示されるように、ビデオカメラで撮影し（State1）、得られた撮影済みの光ディスク２には、ビデオカメラに取り込まれた映像や音声を、その劣化が生じないように比較的低い圧縮率で圧縮して得られる、データ量が大きく、高記録レートの本線ビデオデータや本線オーディオデータを格納する本線ビデオ・オーディオデータファイル１１、本線ビデオデータや本線オーディオデータを、それより高い圧縮率で圧縮して得られる、データ量が少ない、低記録レートのプロキシビデオーデータとプロキシオーディオデータを格納するプロキシビデオ・オーディオデータファイル１２、メタデータファイル１３、および、静止画リスト１４が記録されている。
【００４１】
光ディスク装置１は、例えば、後述する自動複写モードが設定されている状態で、これらのデータが記録された光ディスク２が装着されたとき、本線ビデオ・オーディオデータファイル１１乃至静止画リスト１４のうちのプロキシビデオ・オーディオデータファイル１２の複写に伴って、それに関わる、メタデータファイル１３、および静止画リスト１４を、ユーザからの操作によらずに自動的に読み出し、それらを、内蔵する記録媒体であるHDD(Hard Disk Drive)に複写する（記録する）。
【００４２】
その後、ユーザにより、HDDに記録されたプロキシビデオデータ、プロキシオーディオデータを素材としてプロキシ編集が行われる（State2）。
【００４３】
例えば、プロキシ編集においては、プロキシビデオデータ、プロキシオーディオデータを素材として、撮影された１又は２以上の映像シーンの中から、最終工程の本編集で必要となる映像シーンが選択され、さらに、選択された映像シーンにIN点およびOUT点が設定されて、使用する映像の範囲を抽出する作業などが行われる。
【００４４】
プロキシ編集の結果である編集情報１５は、例えば、インターネットなどを介して、本線ビデオデータ、本線オーディオデータの本線編集を行う編集場所の装置に送信される。編集情報１５には、例えば、放送などで使用する範囲を指定するIN点やOUT点を表す情報が含まれる。
【００４５】
一方、本線ビデオ・オーディオデータファイル１１は、本線編集を行う編集場所に、例えば、光ディスク２に記録された状態で配送される。その後、光ディスク装置１により生成された編集情報１５により表される編集結果に基づいて、本線ビデオ・オーディオデータファイル１１の本線編集が行われ（State3）、最終的な、編集済みのビデオデータ、オーディオデータが作成される。
【００４６】
このような編集においては、光ディスク装置１がプロキシ編集において処理するプロキシビデオデータおよびプロキシオーディオデータは、記録レートが比較的低い、データ量の少ないデータであるため、光ディスク装置１に、本編集を行う装置ほどの処理能力を用意しておく必要がない。また、光ディスク装置１を用いることで、撮影直後などに、その場で簡易な編集を行うことができる。
【００４７】
さらに、例えば、自動複写モードが設定されている場合には、プロキシ編集を行うユーザは、光ディスク２を光ディスク装置１に装着するだけで、プロキシ編集において必要となるプロキシビデオ・オーディオデータファイル１２を記録させることができるとともに、その記録に伴って、メタデータファイル１３、静止画リスト１４を光ディスク装置１のHDDに記録させることができるため、容易に、かつ迅速に、プロキシ編集を開始することができる。すなわち、ユーザは、光ディスク２を光ディスク装置１に装着した後、光ディスク装置１を操作し、取り込むファイルを自ら選択する必要はない。
【００４８】
なお、静止画リスト１４は、後に詳述するように、メタデータファイル１３に記述される所定のメタデータから取得される。
【００４９】
図３は、例えば、撮影現場で、上述したプロキシ編集の代わりにロギングを行う場合のデータの流れの例について示す図であり、図３のState2では、光ディスク２から光ディスク装置１に読み出されたプロキシビデオ・オーディオデータファイル１２、メタデータファイル１３、静止画リスト１４を用いて、ロギングが行われる。このロギングは、プロキシ編集より簡易な、単に、必要な映像シーンのみを選択するなどの編集作業である。
【００５０】
ロギングの結果を表す編集参考情報２１は、本編集を行う装置に、例えば、ネットワークを介して送信され、本線ビデオデータや本線オーディオデータを素材とする本編集（State3）において参考にされる。
【００５１】
なお、以上においては、プロキシビデオ・オーディオデータファイル１２の複写に伴って、それに関わる、メタデータファイル１３を自動的に複写するとしたが、例えば、本線ビデオ・オーディオデータファイル１１の一方のみが記録されている場合には、その本線ビデオ・オーディオデータファイル１１の複写に伴って、それに関わる、メタデータファイル１３を自動的に複写するようにしてもよい。すなわち、本線ビデオ・オーディオデータファイル１１とプロキシビデオ・オーディオデータファイル１２のうちの、いずれのファイルの複写に伴って、メタデータファイル１３の複写が自動的に行われるようにしてもよい。
【００５２】
図４は、以上のようなプロキシ編集やロギングを行う光ディスク装置１の構成例を示すブロック図である。
【００５３】
外部ビデオ信号インタフェース３１は、光ディスク装置１の外部にある機器から入力されたビデオ信号をビデオ圧縮／伸張部３２に出力し、一方、ビデオ圧縮／伸張部３２から供給されたビデオ信号を、その外部の機器に出力する。例えば、外部ビデオ信号インタフェース３１には、アナログコンポジット信号、アナログコンポーネント信号の入出力部が設けられる。
【００５４】
ビデオ圧縮／伸張部３２は、外部ビデオ信号インタフェース３１や外部ビデオ・オーディオ信号インタフェース３４から供給されたビデオ信号を、必要に応じてディジタル変換した後、例えば、MPEG(Moving Picture Experts Group)2方式で圧縮（エンコード）し、得られたデータをビデオインタフェース３３を介してバス３９上に出力する。また、ビデオ圧縮／伸張部３２は、ビデオインタフェース３３を介して供給されたビデオデータを伸張（デコード）し、アナログ変換して得られたビデオ信号を外部ビデオ信号インタフェース３１に出力する。ビデオインタフェース３３は、ビデオ圧縮／伸張部３２に対するデータの供給、ビデオ圧縮／伸張部３２からバス３９上へのデータの出力を行う。
【００５５】
外部ビデオ・オーディオ信号インタフェース３４は、外部にある機器から入力されたビデオデータをビデオ圧縮／伸張部３２に、オーディオデータをオーディオプロセッサ３６にそれぞれ出力する。また、外部ビデオ・オーディオ信号インタフェース３４は、ビデオ圧縮／伸張部３２から供給されたビデオデータ、および、オーディオプロセッサ３６から供給されたオーディオデータを外部の機器に出力する。例えば、外部ビデオ・オーディオ信号インタフェース３４は、SDI(Serial Digital Interface)，SDTI(Serial Date Transfer Interface)などに準拠したインタフェースとされる。
【００５６】
外部オーディオ信号インタフェース３５は、外部の機器から入力されたオーディオ信号をオーディオプロセッサ３６に出力し、一方、オーディオプロセッサ３６から供給されたオーディオ信号を外部の機器に出力する。例えば、外部オーディオ信号インタフェース３５は、アナログオーディオ信号のインタフェース、AES-EBU(Audio Engineering Society-European Broadcast Union)規格に準拠したインタフェースなどとされる。
【００５７】
オーディオプロセッサ３６は、オーディオインタフェース３７から供給されたオーディオデータのディジタル／アナログ変換、および音声調整などを行い、得られた信号を外部オーディオ信号インタフェース３５に出力する。また、オーディオプロセッサ３６は、外部オーディオ信号インタフェース３５から供給されたオーディオ信号をアナログ／ディジタル変換し、得られたデータをオーディオインタフェース３７に出力する。オーディオインタフェース３７は、オーディオプロセッサ３６に対するデータの供給、オーディオプロセッサ３６からバス３９上へのデータの出力を行う。
【００５８】
ドライブ３８は、光ディスク２の着脱を制御するローディングメカニズムコントローラ６１、ローディングメカニズムコントローラ６１とバス３９の間のデータの送受信を行うメカニズムインタフェース６２、ピックアップ６３、ピックアップからのレーザーの発生と、その反射光の検出を制御するピックアップコントローラ６４、光ディスク２に記録させるデータをピックアップ６３に出力するとともに、ピックアップ６３で検出されたレーザの反射光から、データを取得するデータプロセッサ６５、データプロセッサ６５とバス３９の間のデータの送受信を行うドライブインタフェース６６から構成されている。
【００５９】
操作部インタフェース４０は、操作部４１に対するユーザ（編集者）の入力を受け付け、それに対応する信号をバス３９を介してCPU(Central Processing Unit)４２に出力する。
【００６０】
CPU４２は、ROM(Read Only Memory)４３に記録されている制御プログラムをRAM(Random Access Memory)４４に展開し、光ディスク装置１の全体の動作を制御する。例えば、CPU４２は、光ディスク２がドライブ３８に装着されたとき、ドライブ３８の各部を制御し、光ディスク２に記録されているプロキシビデオ・オーディオデータファイル、メタデータファイルを読み出し、それをHDD４６に出力させる。
【００６１】
コンピュータインタフェース４５は、例えば、IEEE(Institute of Electrical and Electronics Engineers)1394ケーブル、USB(Universal Serial Bus)ケーブル、クロスケーブル、またはストレートケーブルなどを介して接続されるパーソナルコンピュータとの間で通信を行い、各種のデータをパーソナルコンピュータに対して転送する。
【００６２】
HDD４６は、光ディスク２から読み出され、バス３９を介して供給されたプロキシビデオ・オーディオデータファイル、メタデータファイル等の各種のデータを記録する。HDD４６に記録されたデータは、例えば、プロキシ編集において用いられる。
【００６３】
LCD(Liquid Crystal Display)表示インタフェース４７は、バス３９を介して供給されたデータに対応する映像をLCD４８に表示させる。
【００６４】
図５は、以上のような構成を有する光ディスク装置１により実現される機能構成例を示すブロック図である。
【００６５】
記録制御部８１は、検出部９１、光ディスクデータ読み出し部９２、制御部９３、モード設定部９４、HDDデータ読み出し部９５、書き込み部９６、代表画生成部９７から構成される。
【００６６】
検出部９１は、ドライブ３８に光ディスク２が装着されたことを検出し、装着されたことを表す情報を光ディスクデータ読み出し部９２に出力する。
【００６７】
光ディスクデータ読み出し部９２は、例えば、自動複写モードが設定されている状態において、検出部９１により、ドライブ３８に光ディスク２が装着されたことが検出されたとき、光ディスク２からプロキシビデオ・オーディオデータファイル、メタデータファイルを読み出し、それらのファイルを制御部９３に出力する。この自動複写モードは、例えば、所定の手動のスイッチがユーザにより操作されることにより、そのオン／オフが切り換えられ、設定される。
【００６８】
ここで、光ディスク２に記録されるデータについて説明する。
【００６９】
始めに、光ディスク２に記録されるデータに関連する用語について説明する。
【００７０】
「メタデータ」とは、例えば、ビデオデータなどの、あるデータに関する付帯情報であり、編集時において、データの内容を編集者が確認するため、或いは、所定のフレームを検索するために用いられる。例えば、撮影日時、撮影場所、各種のメモなどが、メタデータとしてビデオデータなどに付加される。メタデータには、例えば、１クリップのビデオデータ毎に付加されるクリップメタデータと、１フレーム毎に付加されるフレームメタデータとがある。光ディスク装置１のHDD４６には、光ディスク２に記録されているメタデータのうちの少なくとも一部のデータが取り込まれる。
【００７１】
「クリップ」とは、例えば、ビデオカメラによる、１回の記録開始から記録終了に至るまでの連続した映像区間をいう。
【００７２】
図６は、光ディスク２に記録されているデータのディレクトリ（フォルダ）、およびファイルの構造の例を示す図である。
【００７３】
図６に示されるように、ROOTディレクトリには、１つのプログラムに対応するビデオデータを格納するPROAVディレクトリ、および、PROAVディレクトリのデータのメタデータを格納する構成表データファイルが格納される。
【００７４】
PROAVディレクトリには、インデックスファイル（INDEX.XML）、インデックスファイルがコピーされたファイル（INDEX.RSV）、ディスク情報ファイル（DISCINFO.XML）、ディスク情報ファイルがコピーされたファイル（DISCINFO.RSV）が格納される。
【００７５】
インデックスファイルは、記録済みのクリップ、および、編集リストをディスク全体に渡って管理するためのファイルであり、例えば、XML(eXtensible Markup Language)ベースの言語で記述される。ディスク情報ファイルは、光ディスク２の属性、再生開始位置などを記述するファイルである。
【００７６】
PROAVディレクトリには、また、クリップディレクトリ（CLPR）およびエディトディレクトリ（EDTR）が格納される。
【００７７】
クリップディレクトリには、それぞれのクリップに対応するディレクトリが格納される。エディトディレクトリには、映像データおよび音声データの再生順序、および再生範囲を示すエディトリストのデータが格納される。このエディトリストには、クリップに対して設定された、IN点およびOUT点の位置を表す情報が記述される。なお、エディトリストは、１つのクリップに対して複数付加されることもある。
【００７８】
図７は、クリップディレクトリ（図６の、名前が「C0001」のディレクトリ）に格納されるファイルの例を示す図である。なお、図７において、ファイルの右方に付加されているかっこ書きは、そのファイルの内容を示すものであり、ファイル名には含まれない。
【００７９】
クリップディレクトリの先頭に示される、「C0001C01.SMI」の名前が設定されたファイルは、１セットの独立したマルチメディアオブジェクト（映像または音声のオブジェクト）の時間的な挙動、画面上のレイアウト、または他のマルチメディアオブジェクトとの結び付きを、例えば、SMIL(Synchronized Multimedia Integration Language)で記述するファイルである。
【００８０】
「C0001V01.MXF」の名前が設定されたファイルは、本線のビデオデータを格納するファイルである。
【００８１】
「C0001A01.MXF」乃至「C0001A08.MXF」の名前が設定されたファイルは、本線のオーディオデータを格納するファイルである。それぞれのファイルに１チャンネルのオーディオデータが記録されている。
【００８２】
「C0001S01.MXF」の名前が設定されたファイルは、プロキシビデオデータを格納するファイルである。すなわち、ここに格納されているプロキシビデオデータは、「C001V01.MXF」の名前が設定されているファイルに格納されている本線のビデオデータを、より高い圧縮率で圧縮して得られた、低記録レートのデータである。
【００８３】
「C0001M01.XML」の名前が設定されたファイルは、このクリップ（「C0001」のクリップ）に対して付加されたクリップメタデータを格納する、XMLベースの言語で記述されるファイルである。
【００８４】
クリップメタデータには、撮影中や、その後の簡易な編集などにおいて、ビデオデータを構成する所定のフレームに対して設定された、フレームの特徴情報であるエッセンスマークが含まれる。
【００８５】
例えば、エッセンスマークにより、そのエッセンスマークが設定されたフレームが、撮影開始のフレームであること、撮影終了のフレームであること、撮影時に所定の閾値よりも大きい音量が検出されたフレームであること、撮影中にフラッシュがたかれたフレームであること、などが表される。エッセンスマークは、例えば、編集時に、編集者が、あるフレームを特定する場合などに用いられる。
【００８６】
また、クリップメタデータには、そのクリップを代表するフレームを指定する、タイムコード等の情報のリストである静止画リストが含まれる。
【００８７】
例えば、後に行われる編集において、その編集画面に、静止画リストで指定されるフレームが静止画像（代表画）として一覧表示されることで、その編集者は、容易に、クリップの内容を把握することができる。静止画リストにより指定されるフレームは、例えば、クリップの先頭のフレームや、エッセンスマークが設定されているフレームなどとされる。
【００８８】
「C0001R01.BIM」の名前が設定されたファイルは、このクリップの各フレームに対して設定されたフレームメタデータを格納するファイルである。この例においては、フレームメタデータは、XML形式のファイルをバイナリ変換したBIM（binary format for metadata）方式で記述されている。このように、フレームメタデータは、クリップメタデータとは異なるファイルに記述される。従って、クリップメタデータのみ、或いは、フレームメタデータのみ、というように、編集で必要なデータをファイル単位で特定することができる。
【００８９】
例えば、フレームメタデータとしては、フレームメタデータが設定されたフレームの映像データを、年、月、日、時、分、秒等の所定の時間情報により特徴付けるタイムコードであるLTC（Linear Time Code）、そのフレームの画像信号の信号特性を示すユーザビット、参照されるデータに設定される、ワールドワイドで唯一のIDであるUMID(Unique Material Identifier)、ビデオカメラによる撮像が行われた位置を表すGPS(Global Positioning System)の情報などが含まれる。
【００９０】
「C0001I01.PPF」の名前が設定されたファイルは、フレーム構造に関する情報が記述されるファイルである。
【００９１】
図５の説明に戻り、光ディスクデータ読み出し部９２は、以上のような構造で各種のデータが記録されている光ディスク２から、プロキシビデオデータファイルである、例えば、図７の「C0001S01.MXF」の名前が設定されているファイルや、クリップメタデータファイルである、「C0001M01.XML」の名前が設定されているファイルを読み出す。上述したように、このクリップメタデータファイルには、静止画リストも含まれる。
【００９２】
なお、必要に応じて生成され、光ディスク２に記録される、本線オーディオデータを高圧縮率で圧縮したプロキシオーディオデータを格納するファイル、インデックスファイル（図６）も、適宜、光ディスクデータ読み出し部９２により読み出される。
【００９３】
光ディスクデータ読み出し部９２により読み出されたデータは、制御部９３に出力される。
【００９４】
制御部９３の判定部１１１は、光ディスクデータ読み出し部９２から供給されるインデックスファイルと、HDDデータ読み出し部９５から供給されるデータに基づいて、光ディスク２に記録されているプロキシデータがHDD４６にも記録されているか否かを判定する。また、判定部１１１は、光ディスク２に記録されているプロキシデータが、HDD４６に記録されていないと判定した場合、光ディスクデータ読み出し部９２を制御し、そのプロキシデータを読み出させる。このとき読み出されたプロキシデータは、制御部９３から書き込み部９６に出力され、HDD４６に保存される。
【００９５】
なお、必要に応じて、後に編集において用いられるクリップメタデータやフレームメタデータなどのメタデータも、プロキシデータとともに制御部９３から書き込み部９６に出力され、HDD４６に記録される。
【００９６】
制御部９３のXML解釈部１１２は、光ディスク２から読み出された、XMLベースの言語で記述されるファイルを解釈し、その解釈結果を書き込み部９６や代表画生成部９７に出力する。上述したように、静止画リストを含むクリップメタデータファイルは、XMLベースの言語で記述されており（図７）、その解釈結果に基づいて、代表画生成部９７により代表画が生成される。
【００９７】
制御部９３の編集制御部１１３は、ユーザからの操作に基づいて、プロキシデータの編集（プロキシ編集）を行う。
【００９８】
モード設定部９４は、自動複写モードを設定、または、その設定を解除し、そのときの設定の状態を表す情報を光ディスクデータ読み出し部９２に出力する。自動複写モードが解除されている場合には、後述する、手動でのプロキシデータの複写が可能であることから、手動モードが設定されているといえる。
【００９９】
HDDデータ読み出し部９５は、HDD４６に記録されているデータの読み出しを行い、例えば、HDD４６に記録されているデータを管理する情報（インデックスファイルのような管理情報）を制御部９３に出力する。
【０１００】
書き込み部９６は、制御部９３を介して供給されるプロキシデータ、XMLベースの言語で記述されたファイルの解釈結果、代表画生成部９７により生成された代表画などの、編集で用いられる各種のデータをHDD４６に書き込む。
【０１０１】
代表画生成部９７は、HDD４６に記録されたプロキシビデオデータに基づいて、静止画リストで指定されるフレームや、エッセンスマークが設定されているフレームのデータ（映像の一部のデータ）を取得し、そのデータを、例えば、JPEG(Joint Photographic Expert Group)方式で圧縮して代表画を生成する。代表画生成部９７により生成された代表画のデータは、書き込み部９６に出力される。なお、代表画は、本線ビデオデータに基づいて生成されるようにしてもよい。例えば、本線ビデオデータに基づいて代表画が生成される場合、そのフレームのデータは、光ディスクデータ読み出し部９２により読み出され、制御部９３を介して代表画生成部９７に出力される。
【０１０２】
また、代表画は、静止画像に限られるものではなく、例えば、数秒間などの、プロキシデータから得られる映像が、代表画として編集画面に表示されるようにしてもよい。
【０１０３】
次に、以上の構成を有する光ディスク装置１の動作について説明する。
【０１０４】
始めに、図８および図９のフローチャートを参照して、光ディスク２に記録されているデータを、内蔵するHDD４６に複写する光ディスク装置１の処理について説明する。
【０１０５】
この処理は、撮影済みの光ディスク２がドライブ３８に装着され、そのことが検出部９１により検出されたときに開始される。
【０１０６】
ステップＳ１において、光ディスクデータ読み出し部９２は、撮影済みの光ディスク２がドライブ３８に装着されたことが検出部９１により検出されたとき、モード設定部９４からの出力に基づいて、自動複写モードが設定されているか否かを判定する。
【０１０７】
光ディスクデータ読み出し部９２は、ステップＳ１において、自動複写モードが設定されていないと判定した場合、処理を終了させ、一方、自動複写モードが設定されていると判定した場合、ステップＳ２に進む。
【０１０８】
ステップＳ２において、光ディスクデータ読み出し部９２は、光ディスク２に記録されているインデックスファイル（例えば、図６の、名前が「INDEX.XML」のファイル）を読み出す。上述したように、ここで読み出されるインデックスファイルには、光ディスク２に記録されているデータを管理する情報が記述されている。インデックスファイルは、制御部９３に出力され、XML解釈部１１２により、その記述が解釈される。
【０１０９】
なお、ここで、図６の構成表データファイルやエディトリストファイル（例えば、図６の「EDTR」ディレクトリ以下のファイル）が適宜読み出され、それらのファイルに記述される情報に基づいて、光ディスク２から読み出されるプロキシデータの範囲が決定されるようにしてもよい。例えば、他の機器において、簡易な編集が既に行われ、IN点、OUT点がエディトリストに記述されている場合、そのリストで指定される範囲のプロキシデータのみが、後述する読み出し処理（例えば、ステップＳ８）により読み出される。
【０１１０】
ステップＳ３において、HDDデータ読み出し部９５は、HDD４６に記録されているデータを管理する情報であるインデックスファイルを読み出す。例えば、HDD４６にも、光ディスク２と同様に、記録済みのプロキシファイルやメタデータのファイル名や更新日時などを管理するインデックスファイルが記録されている。HDDデータ読み出し部９５により読み出されたインデックスファイルは、制御部９３に出力される。
【０１１１】
ステップＳ４において、制御部９３の判定部１１１は、XML解釈部１１２による光ディスク２から読み出されたインデックスファイルの解釈結果を参照し、判定の対象とするクリップを表す変数Ｎに「１」を設定する。
【０１１２】
また、判定部１１１は、ステップＳ５において、インデックスファイルを参照して、光ディスク２に記録されているＮ番目（ステップＳ４に続いて行われる処理である場合、１番目）のクリップのプロキシファイルについて、そのファイル名と更新日時を取得する。
【０１１３】
例えば、図６に示されるように、クリップディレクトリに「C0001」乃至「C0003」のフォルダが格納されている場合、そのうちの「C0001」の名前が設定されたクリップが、１番目の判定対象のクリップとされる。そして、「C0001」ディレクトリに格納されている、図７の、プロキシデータを格納するファイルのファイル名である「C0001S01.MXF」と、それに付加されている更新日時（タイムスタンプ）がインデックスファイルから取得される。
【０１１４】
判定部１１１は、ステップＳ６において、ステップＳ５で読み出したファイル名と更新日時を有するプロキシファイルが、HDD４６に既に記録されているか否かを、ステップＳ３で、HDD４６から読み出されたインデックスファイルに基づいて判定する。すなわち、HDD４６から読み出されたインデックスファイルには、HDD４６に既に記録されているプロキシファイルのファイル名や更新日時などが記述されており、そこに、光ディスク２から読み出されたファイル名および更新日時と一致するものがあるか否かが判定される。
【０１１５】
判定部１１１は、ステップＳ６において、光ディスク２から読み出したファイル名と更新日時を有するプロキシファイルが、HDD４６に記録されていると判定した場合、ステップＳ７に進み、変数Ｎの値を１だけインクリメントした後、ステップＳ５に戻り、それ以降の処理を実行する。
【０１１６】
従って、変数Ｎに「１」が設定されており、「C0001」の名前が設定されたクリップが判定対象とされていた場合には、続いて、変数Nに「２」が設定され、その値に対応する「C0002」の名前が設定されたクリップが判定対象とされ、ステップＳ５以降の処理が行われる。
【０１１７】
一方、判定部１１１は、ステップＳ６において、光ディスク２から読み出したファイル名と更新日時を有するプロキシファイルが、HDD４６に記録されていない、または、同一のファイル名のものはあるが、その更新日時が異なると判定した場合、ステップＳ８に進み、光ディスクデータ読み出し部９２を制御し、Ｎ番目のクリップのプロキシファイルと、メタデータファイル（クリップメタデータファイル、フレームメタデータファイル）を読み出させる。
【０１１８】
従って、変数Ｎに「１」が設定されており、「C0001」の名前が設定されたクリップが判定の対象とされている場合、そのクリップのプロキシファイルである、図７の「C0001S01.MXF」の名前が設定されたファイルと、クリップメタデータファイルである、「C0001M01.XML」の名前が設定されたファイル、および、フレームメタデータファイルである「C0001R01.BIM」が読み出される。
【０１１９】
読み出されたプロキシファイルとメタデータファイルは、制御部９３を介して書き込み部９６に出力され、ステップＳ９において、書き込み部９６によりHDD４６に書き込まれる（記録される）。また、このとき、HDD４６に記録されているデータを管理するインデックスファイルも更新され、新たに書き込まれたプロキシファイルとメタデータファイルのファイル名、更新日時などの情報がインデックスファイルに登録される。なお、HDD４６に記録されたプロキシファイルのうちのプロキシビデオデータは、代表画生成部９７にも出力される。
【０１２０】
これにより、HDD４６に記録されていないプロキシファイルとメタデータファイル、或いは、新たに更新されたプロキシファイルとメタデータファイルが、ユーザ自らがファイルを指定することなくHDD４６に記録される。
【０１２１】
ステップＳ１０において、制御部９３の解釈部１１２は、HDDデータ読み出し部９５を制御し、HDD４６に記録されたメタデータファイルのうちのクリップメタデータファイルを読み出し、それに記述されているクリップメタデータを解釈して、エッセンスマークと静止画リストを取得する。上述したように、XMLベースの言語で記述されるクリップメタデータファイルには、撮影時や、その後の簡易な編集で所定のフレームに設定された、フレームの特徴を表すエッセンスマークと、例えば、各クリップの先頭のフレームを代表画とすることを指定する静止画リストが含まれている。
【０１２２】
ステップＳ１１において、解釈部１１２は、解釈結果である、他の機器でも処理可能なファイル形式に変換されたメタデータファイルを書き込み部９６に出力し、HDD４６に記録させる。
【０１２３】
このように、光ディスク２を光ディスク装置１に装着したときに、自動的に、XMLベースなどの、処理を行う前に解釈が必要な言語で記述されたファイルについては、その記述が解釈され、解釈結果がHDD４６に記録されるため、実際に編集を開始するとき、メタデータの解釈を行う必要はない。すなわち、編集の開始を指示したときにメタデータの解釈が行われ、それが終了してからメタデータを用いた編集を行う場合に較べて、ユーザは、光ディスク装置１によるメタデータの解釈に要する時間の分だけ、迅速に、編集を開始することができる。
【０１２４】
なお、解釈部１１２により解釈されたエッセンスマークと静止画リストに関する情報は、代表画生成部９７に対して供給されている。
【０１２５】
ステップＳ１２において、代表画生成部９７は、解釈部１１２から供給されてきたエッセンスマークと静止画リストの情報に基づいて、制御部９３から供給されてきたプロキシビデオデータ（複数のGOP(Group Of Picture)からなるビデオデータ）のうち、クリップの先頭フレームを含むGOP、および、エッセンスマークが設定されているフレームを含むGOPをデコードする。すなわち、代表画生成部９７は、例えば、MPEG2方式でエンコードされたプロキシビデオデータから、クリップの先頭フレーム、或いは、エッセンスマークが設定されたフレームを静止画像として保存できるように、それらのフレームを含むGOPをデコードする。
【０１２６】
また、代表画生成部９７は、ステップＳ１３において、ステップＳ１２でデコードして得られたデータから、クリップの先頭フレームのみのデータ、或いは、エッセンスマークが設定されたフレームのみのデータを取得し、JPEG圧縮するなどして代表画を作成する。作成された代表画のデータは、書き込み部９６に出力され、ステップＳ１４において、HDD４６に記録される。
【０１２７】
このように、代表画が予め作成され、HDD４６に保存されるため、光ディスク装置１は、編集の開始が指示されたときに、HDD４６に記録されているデータに基づいて代表画を作成し、その一覧を編集画面に表示する場合に較べて、代表画の作成に要する時間の分だけ迅速に、編集画面に代表画の一覧を表示することができる。すなわち、ユーザは、代表画の一覧が表示された編集画面において、迅速に、編集を開始することができる。
【０１２８】
なお、代表画は、ここで説明した方法によって作成されるものに限られない。例えば、各フレームのピクチャタイプ（Ｉ(Intra)ピクチャ、Ｐ(Predictive)ピクチャ、Ｂ(Bidirectionally predictive)ピクチャ）が所定のファイルに記述されており、エッセンスマークが設定されているフレームがIピクチャであることが、そのファイルにより指定されている場合、代表画生成部９７は、GOP全体のデコードを行うことなく、そのフレームのデータを、代表画のデータとする。すなわち、Ｉピクチャは、他のピクチャを参照せずにイントラ符号化（エンコード）されるピクチャ（フレーム）であるため、ピクチャタイプがIピクチャであるフレームを代表画とする場合、GOP全体をデコードする必要はない。
【０１２９】
ステップＳ１５において、判定部１１１は、光ディスク２に記録されている全てのクリップについて、そのプロキシファイルやメタデータファイルをHDD４６に記録する処理、および、クリップの代表画を作成する処理を終了したか否かを判定し、終了していないと判定した場合、ステップＳ５に戻り、それ以降の処理を繰り返し実行する。すなわち、対象とするクリップが切り換えられ、新たに対象とされたクリップのプロキシファイルやメタデータファイルをHDD４６に記録する処理、および、代表画を作成する処理が行われる。
【０１３０】
一方、判定部１１１は、ステップＳ１５において、光ディスク２に記録されている全てのクリップについて、それらの処理を終了したと判定した場合、処理を終了させる。
【０１３１】
以上の処理が、光ディスク２が装着される毎に行われる。従って、ユーザは、仮に、撮影で複数の光ディスク２を使用した場合であっても、それらを順次、光ディスク装置１に装着させるだけで、編集で用いる、プロキシファイルやメタデータファイルなどを自動的に光ディスク装置１に取り込ませることができる。
【０１３２】
次に、図１０のフローチャートを参照して、図８および図９を参照して説明した処理によりHDD４６に記録されたプロキシファイルを対象として行われる、光ディスク装置１の編集処理について説明する。
【０１３３】
編集の開始が指示されたとき、ステップＳ３１において、編集制御部１１３は、HDDデータ読み出し部９５を制御して、代表画のデータをHDD４６から読み出させ、取得したデータに基づいて、編集画面の所定の領域に代表画を一覧表示させる。これにより、編集を行うユーザは、クリップの先頭フレームや、エッセンスマークが設定されたフレームを確認することができ、HDD４６に記録されているプロキシファイルの映像の内容を把握することができる。
【０１３４】
また、編集の開始を指示してから代表画が作成され、代表画の一覧が表示される場合に較べて、ユーザは、迅速に、編集を開始することができる。
【０１３５】
ステップＳ３２において、編集制御部１１３は、ユーザからの指示に基づいて、プロキシデータを編集する。例えば、編集制御部１１３は、IN点やOUT点をプロキシデータに設定したり、所定のフレームに、エッセンスマークを設定するなどの処理を行う。この編集においては、上述した処理でプロキシデータとともにHDD４６に記録された、解釈済みのメタデータが用いられる。編集制御部１１３による編集結果は、適宜、HDD４６に記録されているプロキシデータやメタデータに反映される。
【０１３６】
編集制御部１１３は、ステップＳ３３において、ユーザから、編集の終了が指示されたか否かを判定し、指示されていないと判定した場合、ステップＳ３２に戻り、ユーザからの指示に基づく編集を繰り返し行う。
【０１３７】
一方、編集制御部１１３は、ステップＳ３３において、編集の終了が指示されたと判定した場合、処理を終了させる。
【０１３８】
以上の処理で作成された編集結果を表す情報（図２の編集情報１５）は、例えば、ネットワークを介して、本線データの編集を行う装置に送信される。その後、その編集結果の情報に基づいて、本線データの編集が行われる。
【０１３９】
以上においては、自動複写モードが設定されている状態で光ディスク２が装着されたとき、自動的に、プロキシファイルやメタデータファイルなどが光ディスク装置１に取り込まれるとしたが、当然、光ディスク２が装着された状態で、ユーザからの指示に応じて、それらのデータの取り込みが行われるようにしてもよい。
【０１４０】
次に、図１１および図１２のフローチャートを参照して、ユーザからの指示に応じて、プロキシファイルやメタデータファイルなどを複写する（HDD４６に記録させる）光ディスク装置１の処理について説明する。
【０１４１】
ステップＳ４１において、光ディスクデータ読み出し部９２は、ドライブ３８に装着された光ディスク２に記録されているプロキシファイルを複写することが、ユーザにより指示されたか否かを判定し、指示されたと判定するまで待機する。
【０１４２】
例えば、光ディスク装置１の操作部４１には、複写の開始を指示するとき操作される、手動の複写開始ボタンが設けられており、光ディスクデータ読み出し部９２は、その複写開始ボタンがユーザにより操作され、複写の開始が指示されたと判定した場合、ステップＳ４２に進む。
【０１４３】
ステップＳ４２以降の処理は、図８および図９を参照して説明した、ステップＳ２以降の処理と同様である。すなわち、所定のクリップが順次対象とされ（ステップＳ４４）、そのクリップのプロキシファイルが、HDD４６に既に記録されているか否かが判定される（ステップＳ４６）。また、HDD４６に記録されていないプロキシファイルやメタデータファイル、および、それらに基づいて作成された代表画などがHDD４６に記録され（ステップＳ４９，Ｓ５４）、ステップＳ５５において、全てのクリップについて、プロキシファイルなどのHDD４６への保存が終了したと判定された場合、処理は終了される。
【０１４４】
このように、複写開始ボタンを操作したときに複写を開始させることができることによっても、ユーザは、自ら選択することなく、容易に、後の編集で用いる所定のファイルを光ディスク装置１のHDD４６に記録させることができる。
【０１４５】
以上のようにして編集で用いられるデータがHDD４６に記録された光ディスク装置１においても、図１０を参照して説明した編集処理が行われる。
【０１４６】
図１３Aおよび図１３Bは、本発明を適用した複写システムの構成例を示す図である。
【０１４７】
図１３Aにおいては、光ディスク装置１とパーソナルコンピュータ２０１が、例えば、クロスケーブル、IEEE1394ケーブル、USB(Universal Serial Bus)ケーブルなどのケーブル２０２（通信路）を介して接続されている。
【０１４８】
パーソナルコンピュータ２０１には、上述した光ディスク装置１単体の場合と同様に、光ディスク２が光ディスク装置１に装着されたときに、光ディスク２に記録されているプロキシファイルやクリップメタデータファイルなどを、自動的に、内蔵するHDDに取り込む機能である自動複写モードが用意されている。
【０１４９】
自動複写モードが設定されている状態において、ケーブル２０２を介して接続されている光ディスク装置１に光ディスク２が装着されたとき、パーソナルコンピュータ２０１は、光ディスク装置１を制御して、光ディスク２に記録されているプロキシファイルやメタデータファイルなどを読み出させ、TCP/IP(Transmission Control Protocol/Internet Protocol)やFTP(File Transfer Protocol)などに従って、ケーブル２０２を介してそれらのデータを取得し、内蔵するHDDに記録する。HDDに記録されたデータは、ユーザにより行われる編集において用いられる。従って、この例においては、ユーザが編集を行う機器はパーソナルコンピュータ２０１であり、光ディスク装置１では行われない。
【０１５０】
図１３Bにおいては、光ディスク装置１とパーソナルコンピュータ２０１は、通信路であるLAN(Local Area Network)などのネットワーク２０３を介して接続されている。
【０１５１】
図１３Bにおいても、図１３Aの場合と同様に、光ディスク装置１に光ディスク２が装着されたとき、光ディスク２に記録されているプロキシファイルやメタデータファイルなどが光ディスク装置１により読み出され、ネットワーク２０３を介して接続されるパーソナルコンピュータ２０１のHDDに記録される。
【０１５２】
このように、光ディスク２が光ディスク装置１に装着されたときに、自動的に、編集で使用するファイルがパーソナルコンピュータ２０１のHDDに複写されるため、ユーザは、複写するファイルを自ら選択することなく、容易に、パーソナルコンピュータ２０１を用いて編集など行うことができる。
【０１５３】
当然、光ディスク装置１とパーソナルコンピュータ２０１の間が、有線のケーブルではなく、例えば、IEEE802.11aなどの各種の規格の無線通信などで接続されるようにしてもよい。また、１つのパーソナルコンピュータ２０１に対して、複数の光ディスク装置１が接続されるようにしてもよい。
【０１５４】
なお、図１の光ディスク装置１の場合と同様に、プロキシファイルやメタデータファイルをHDDに記録するパーソナルコンピュータ２０１の一連の処理においては、編集処理の開始時に解釈が必要なファイルの解釈が予め行われ、その解釈結果がHDDに記録されるとともに、静止画リストやエッセンスマークなどに基づいて、代表画も予め作成され、HDDに記録される。
【０１５５】
図１４は、パーソナルコンピュータ２０１の構成例を示すブロック図である。
【０１５６】
CPU２１１は、ROM２１２に記憶されているプログラム、または、HDD２１８からRAM２１３にロードされたプログラムに従って、パーソナルコンピュータ２０１全体の動作を制御する。RAM２１３にはまた、CPU２１１が各種の処理を実行する上において必要なデータなどが適宜記憶される。
【０１５７】
CPU２１１、ROM２１２、およびRAM２１３は、バス２１４を介して相互に接続されている。このバス２１４にはまた、入出力インタフェース２１５も接続されている。
【０１５８】
入出力インタフェース２１５には、キーボード、マウスなどよりなる入力部２１６、LCD(Liquid Crystal Display)などよりなるディスプレイ、並びにスピーカなどよりなる出力部２１７、ハードディスクなどより構成されるHDD２１８、光ディスク装置１とのインタフェースである光ディスク装置インタフェース２１９が接続されている。すなわち、光ディスク装置１により光ディスク２から読み出され、例えば、図１３Aのケーブル２０２を介して送信されたデータは、光ディスク装置インタフェース２１９において受信され、入出力インタフェース２１５を介してHDD２１８に供給され、記録される。
【０１５９】
また、入出力インタフェース２１５には、通信部２２０が接続されている。通信部２２０は、ネットワークを介しての通信処理を行い、例えば、ユーザによるプロキシデータの編集結果を表す情報を、本編集が行われる装置などに送信する。
【０１６０】
入出力インタフェース２１５にはまた、必要に応じてドライブ２２１が接続され、磁気ディスク２２２、光ディスク２２３、光磁気ディスク２２４、或いは半導体メモリ２２５などが適宜装着され、それから読み出されたコンピュータプログラムが、必要に応じてHDD２１８にインストールされる。
【０１６１】
図１５は、図１４のCPU２１１により制御プログラムが実行されて実現される機能構成例を示すブロック図である。
【０１６２】
パーソナルコンピュータ２０１において実現される記録制御部２４１は、通信制御部２５１が設けられる点を除いて、図５に示される記録制御部８１と同様である。すなわち、図１５の検出部２５２、光ディスクデータ読み出し部２５３、制御部２５４、モード設定部２５５、HDDデータ読み出し部２５６、書き込み部２５７、代表画生成部２５８は、図５の検出部９１、光ディスクデータ読み出し部９２、制御部９３、モード設定部９４、HDDデータ読み出し部９５、書き込み部９６、代表画生成部９７に、それぞれ対応する。図１５において、図５の構成と対応するものについては、適宜、その詳細な説明を省略する。
【０１６３】
通信制御部２５１は、光ディスク装置インタフェース２１９を制御して、光ディスク装置１との通信を制御する。検出部２５２は、通信制御部２５１を介して、光ディスク装置１のドライブ３８に光ディスク２が装着されたことを検出し、装着されたことを表す情報を光ディスクデータ読み出し部２５３に出力する。
【０１６４】
光ディスクデータ読み出し部２５３は、図５の光ディスクデータ読み出し部９２と同様に、モード設定部２５５により自動複写モードが設定されており、光ディスク装置１のドライブ３８に光ディスク２が装着されたことが検出部２５２により検出されたとき、通信制御部２５１を介して、光ディスク２に記録されているプロキシファイルやメタデータファイルなどを光ディスク装置１に読み出させ、それらのデータを取得する。光ディスクデータ読み出し部２５３により取得されたプロキシファイルやメタデータファイルは、制御部２５４を介して書き込み部２５７に供給され、編集で用いられるデータとしてHDD２１８に書き込まれる。
【０１６５】
次に、例えば、図１３Aの複写システムにおける、パーソナルコンピュータ２０１の処理について説明する。図１３Ｂの複写システムにおいても、同様の処理がパーソナルコンピュータ２０１により行われる。
【０１６６】
始めに、図１６および図１７のフローチャートを参照して、光ディスク２に記録されているデータを複写するパーソナルコンピュータ２０１の処理について説明する。この処理は、基本的には、図８および図９を参照して説明した光ディスク装置１の処理と同様の処理であり、重複する説明は適宜省略する。
【０１６７】
ステップＳ７１において、自動複写モードが設定されていると判定された場合、光ディスクデータ読み出し部２５３は、ステップＳ７２に進み、検出部２５２からの出力に基づいて、ケーブル２０２を介して接続される光ディスク装置１のドライブ３８に光ディスク２が装着されたか否かを判定する。
【０１６８】
光ディスクデータ読み出し部２５３は、ステップＳ７２において、撮影済みの光ディスク２が光ディスク装置１のドライブ３８に装着されたことが検出部２５２により検出されたとき、ステップＳ７３に進み、光ディスク２に記録されているインデックスファイルを読み出させ、それを取得する。
【０１６９】
すなわち、このとき、光ディスクデータ読み出し部２５３の指示に基づいて、通信制御部２５１から光ディスク装置１に対して、所定の読み出しコマンドが送信される。また、そのコマンドを受信することに応じて、光ディスク装置１により読み出されたインデックスファイルのデータが、光ディスク装置１のコンピュータインタフェース４５（図４）からケーブル２０２に出力され、パーソナルコンピュータ２０１の光ディスク装置インタフェース２１９において受信される。光ディスク装置インタフェース２１９において受信されたインデックスファイルのデータは制御部２５４に出力される。
【０１７０】
ステップＳ７４において、HDDデータ読み出し部２５６は、HDD２１８に記録されているデータを管理するインデックスファイルを読み出し、それを制御部２５４に出力する。
【０１７１】
制御部２５４の判定部２７１は、ステップＳ７５において、光ディスク装置１から供給されてきたインデックスファイルに記述されている情報を参照し、判定の対象とするクリップの番号を表す変数Ｎに「１」を設定し、ステップＳ７６に進み、光ディスク２に記録されているＮ番目（ステップＳ７５に続いて行われる処理である場合、１番目）のクリップのプロキシファイルについて、そのファイル名と更新日時を取得する。
【０１７２】
判定部２７１は、ステップＳ７７において、ステップＳ７６で取得したファイル名と更新日時を有するプロキシファイルが、HDD２１８に既に記録されているか否かを、HDD２１８から読み出されたインデックスファイルに基づいて判定し、記録されていないと判定した場合、ステップＳ７９に進む。
【０１７３】
ステップＳ７９において、判定部２７１は、光ディスクデータ読み出し部９２を制御して、Ｎ番目のクリップのプロキシファイルと、そのクリップの付帯情報であるメタデータファイルを光ディスク装置１に読み出させ、読み出させたプロキシファイルとメタデータファイルを取得する。この場合も、通信制御部２５１から、所定の読み出しコマンドがケーブル２０２を介して光ディスク装置１に対して送信され、そのコマンドに応じて、光ディスク装置１からプロキシファイルとメタデータファイルが送信されてくる。
【０１７４】
光ディスク装置１からケーブル２０２を介して取得されたプロキシファイルとメタデータファイルは、制御部２５４を介して書き込み部２５７に出力され、ステップＳ８０において、書き込み部２５７によりHDD２１８に記録される。また、このとき、HDD２１８に記録されているインデックスファイルの記述も更新され、書き込まれたプロキシファイルとメタデータファイルのファイル名、更新日時などの情報が、HDD２１８に記録されているデータを管理するインデックスファイルに登録される。
【０１７５】
これにより、光ディスク装置１により読み出され、ケーブル２０２を介して供給されてきたプロキシファイルとメタデータファイルが、ユーザ自らがファイルを指定するなどの操作を行うことなく、パーソナルコンピュータ２０１のHDD２１８に自動的に記録される。
【０１７６】
なお、このとき、プロキシビデオデータが、代表画生成部２５８に対して制御部２５４から供給されている。
【０１７７】
ステップＳ８１において、制御部２５４の解釈部２７２は、HDD２１８に記録されたメタデータのうちのクリップメタデータ（例えば、図７の名前が「C0001M01.XML」のファイル）を解釈して、エッセンスマークと静止画リストを取得し、ステップＳ８２に進み、エッセンスマークや静止画リストなどの情報を含む解釈結果を書き込み部２５７に出力し、HDD２１８に記録させる。
【０１７８】
解釈部２７２により解釈されたエッセンスマークと静止画リストの情報は、代表画生成部２５８にも出力されており、ステップＳ８３において、代表画生成部２５８は、解釈部２７３から供給されてきたエッセンスマークと静止画リストの情報に基づいて、クリップの先頭フレームを含むプロキシビデオデータのGOP、および、エッセンスマークが設定されているフレームを含むプロキシビデオデータのGOPをデコードする。
【０１７９】
また、代表画生成部９７は、ステップＳ８４において、ステップＳ８３でデコードして得られたデータから、クリップの先頭フレームのデータ、或いは、エッセンスマークが設定されたフレームのデータを取得して、代表画を生成し、ステップＳ８５に進み、それをHDD２１８に記録させる。
【０１８０】
このように、上述した光ディスク装置１単体の場合と同様に、代表画が予め作成され、HDD２１８に保存されるため、編集の開始を指示したときにHDD２１８に記録されているデータに基づいて代表画が作成され、その一覧が編集画面に表示される場合に較べて、代表画の作成に要する時間の分だけ、ユーザは、迅速に、代表画の一覧が表示される編集画面で編集を開始することができる。
【０１８１】
ステップＳ８６において、判定部２７１は、光ディスク２に記録されている全てのクリップについて、そのプロキシファイルやメタデータファイルをHDD２１８に記録させる処理、および、クリップの代表画を作成する処理を終了したか否かを判定し、終了したと判定した場合、処理を終了させる。
【０１８２】
以上の処理が、光ディスク装置１に光ディスク２が装着され、そのことがパーソナルコンピュータ２０１の検出部２５２により検出される毎に行われ、編集で用いられる、プロキシファイルやメタデータファイルなどが、ケーブル２０２を介して接続されているパーソナルコンピュータ２０１に自動的に記録される。
【０１８３】
次に、図１８および図１９のフローチャートを参照して、ユーザからの指示に応じて、例えば、図１３Aの光ディスク装置１に装着された光ディスク２に記録されているデータを複写するパーソナルコンピュータ２０１の処理について説明する。この処理は、図１１および図１２を参照して説明した光ディスク装置１の処理に対応する。
【０１８４】
すなわち、ステップＳ１０１において、光ディスクデータ読み出し部２５３は、検出部２５２からの出力に基づいて、光ディスク装置１のドライブ３８に光ディスク２が装着されたか否かを判定し、装着されたと判定した場合、ステップＳ１０２に進み、次に、光ディスク２に記録されているプロキシファイルなどを複写することが、ユーザから指示されたか否かを判定する。
【０１８５】
例えば、所定の複写開始ボタンが操作され、プロキシファイルなどを複写することがユーザから指示されたと判定した場合、光ディスクデータ読み出し部２５３は、ステップＳ１０３に進む。
【０１８６】
ステップＳ１０３以降の処理は、図１６および図１７を参照して説明した、ステップＳ７３以降の処理と同様である。すなわち、対象とされたクリップのプロキシファイルが、HDD２１８に記録されているか否かが判定され（ステップＳ１０７）、記録されていないと判定された場合、光ディスク装置１により読み出されたプロキシファイルやメタデータファイルなどが、ケーブル２０２を介してパーソナルコンピュータ２０１に供給され、HDD２１８に記録される（ステップＳ１１０）。また、プロキシファイルやメタデータファイルに基づいて作成された代表画などがHDD２１８に記録され（ステップＳ１１５）、ステップＳ１１６において、全てのクリップについて、プロキシファイルなどのHDD２１８への保存が終了したと判定された場合、処理が終了される。
【０１８７】
このように、複写開始ボタンなどを設け、それが操作されたときに複写が開始されることによっても、ユーザは、ケーブル２０２を介して接続されている光ディスク装置１により読み出された所定のファイルを、パーソナルコンピュータ２０１のHDD２１８に取り込ませることができる。
【０１８８】
以上のようにして取り込まれたデータにも基づいて、図１０を参照して説明したような編集処理が行われる。
【０１８９】
図２０および図２１のフローチャートは、光ディスク装置１により行われる、他の複写処理を示している。
【０１９０】
すなわち、以上においては、自動複写モードが設定されているか否か（例えば、図８および図９）、または、プロキシファイルを複写することが指示されたか否か（例えば、図１１および図１２）、のいずれかを判定するだけで、光ディスク装置１およびパーソナルコンピュータ２０１によりプロキシファイルなどの複写が行われる場合について説明したが、図２０および図２１の処理においては、その両方の判定が適宜行われる。なお、パーソナルコンピュータ２０１によっても、同様の処理が実行される。
【０１９１】
この処理は、例えば、電源がオフからオンにされたとき（投入されたとき）、または、オンにされている状態（既に投入されている状態）の所定のタイミングで実行される。
【０１９２】
ステップＳ１３１において、検出部９１は、光ディスク２が装着されたか、または、ドライブ３８に既に装着されているか否かを判定し、既に装着されていない場合には、新たに装着されたと判定するまで待機する。
【０１９３】
検出部９１は、ステップＳ１３１において、例えば、電源が投入されている状態において、新たに光ディスク２が装着された、または、電源が投入されたときには、光ディスク２がドライブ３８に既に装着されていたと判定した場合、ステップＳ１３２に進む。従って、ユーザは、電源が投入されている状態のときに光ディスク２をドライブ３８に装着することで、または、光ディスク２をドライブ３８に装着し、電源を投入することで（オフからオンに切り換えることで）、それ以降の処理を実行させることができる。
【０１９４】
ステップＳ１３２において、光ディスクデータ読み出し部９２は、モード設定部９４からの出力に基づいて、自動複写モードが設定されているか否かを判定する。
【０１９５】
光ディスクデータ読み出し部９２は、ステップＳ１３２において、自動複写モードが設定されていないと判定した場合、ステップＳ１３３に進み、ドライブ３８に装着された光ディスク２に記録されているプロキシファイルを複写することが、ユーザにより指示されたか否かを判定し、指示されたと判定するまで待機する。すなわち、自動複写モードが設定されていない場合には、光ディスク２が新たに装着された場合でも、ユーザからの指示があるまでは、プロキシファイル等の複写は行われない。
【０１９６】
ステップＳ１３３において、例えば、操作部４１に設けられている複写開始ボタンが操作され、複写を開始することが指示されたと判定した場合、光ディスクデータ読み出し部９２は、ステップＳ１３４に進む。
【０１９７】
また、光ディスクデータ読み出し部９２は、ステップＳ１３２において、自動複写モードが設定されていると判定した場合、ステップＳ１３４に進む。
【０１９８】
ステップＳ１３４以降の処理は、例えば、図８および図９のステップＳ２以降の処理と同様である。すなわち、所定のクリップが順次対象とされ（ステップＳ１３６）、そのクリップのプロキシファイルが、HDD４６に既に記録されているか否かが判定される（ステップＳ１３８）。また、HDD４６に記録されていないプロキシファイルやメタデータファイル、および、それらに基づいて作成された代表画などがHDD４６に記録され（ステップＳ１４１，Ｓ１４６）、ステップＳ１４７において、全てのクリップについて、プロキシファイルなどのHDD４６への保存が終了したと判定された場合、処理は終了される。
【０１９９】
以上のようにしてプロキシファイル等の取り込みが行われるため、ユーザは、自動複写モードを設定している場合には、単に、光ディスク装置１に光ディスク２を装着するだけで、或いは、自動複写モードを設定していない場合には、光ディスク装置１に光ディスク２を装着し、複写開始ボタンを操作するだけで、ファイルを直接ファイルを指定することなく、プロキシファイルやメタデータをHDD４６に自動的に取り込ませることができる。
【０２００】
当然、ユーザがプロキシファイル（例えば、図７の「C0001S01.MXF」のプロキシファイル）を直接指定して、それをHDD４６に記録させることができるようにしてもよい。このとき、ユーザが指定したプロキシファイルに対応するメタデータが、自動的にHDD４６に取り込まれるようにすることにより、ユーザは、自動的に取り込まれたメタデータを用いて、容易に、編集を開始することができる。
【０２０１】
以上においては、ビデオカメラで撮影され、撮影済みの光ディスク２が装着された光ディスク装置１と、ケーブル２０２を介して接続されるパーソナルコンピュータ２０１の処理について説明したが、以上のような光ディスク装置１の機能（プロキシファイルやメタデータファイルなどを、編集を行う機器に転送する機能）が、ビデオカメラ自身に用意されるようにしてもよい。
【０２０２】
例えば、ビデオカメラでの撮影が終了したタイミングで、或いは、撮影中にリアルタイムで、プロキシファイルやメタデータファイルなどが、そのビデオカメラと有線や無線の通信を介して接続されるパーソナルコンピュータなどに自動的に送信され、内蔵するHDDに記録されることによっても、ユーザは、そのパーソナルコンピュータを操作して、容易に、かつ迅速に、編集を開始させることができる。
【０２０３】
以上においては、光ディスク２に記録されたデータを処理する光ディスク装置１について説明したが、光ディスク装置１に装着される記録媒体は、光ディスクに限定されるものではない。すなわち、本発明は、光ディスク以外の、例えば、磁気ディスクや、磁気テープ、半導体メモリ、その他の記録媒体が装着可能に形成された装置にも適用可能である。
【０２０４】
また、装着された記録媒体に記録されているデータを複写する、その複写先の記録媒体（他の記録媒体）は、機器に内蔵されるHDDに限られない。例えば、USBケーブルを介して接続される外付けのHDDであってもよいし、ネットワークを介して接続されるHDDであってもよい。さらには、その複写先の他の記録媒体が、HDDではなく、光ディスクや半導体メモリ、或いは磁気テープなどであってもよい。
【０２０５】
上述した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされる。
【０２０６】
一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば、汎用のパーソナルコンピュータなどに、ネットワークや記録媒体からインストールされる。
【０２０７】
この記録媒体は、図１４に示されるように、装置本体とは別に、ユーザにプログラムを提供するために配布される、磁気ディスク２２２（フレキシブルディスクを含む）、光ディスク２２３（CD-ROM(Compact Disk-Read Only Memory)，DVD(Digital Versatile Disk)を含む）、光磁気ディスク２２４（MD（登録商標）(Mini-Disk)を含む）、もしくは半導体メモリ２２５などよりなるパッケージメディアにより構成されるだけでなく、装置本体に予め組み込まれた状態でユーザに提供される、プログラムが記録されているROM２１２や、HDD２１８に含まれるハードディスクなどで構成される。
【０２０８】
なお、本明細書において、記録媒体に記録されるプログラムを記述するステップは、記載された順序に従って時系列的に行われる処理はもちろん、必ずしも時系列的に処理されなくとも、並列的あるいは個別に実行される処理をも含むものである。
【０２０９】
また、本明細書において、システムとは、複数の装置により構成される装置全体を表わすものである。
【０２１０】
【発明の効果】
本発明によれば、記録媒体に記録されている所定のデータを、他の記録媒体に複写することができる。
【０２１１】
また、本発明によれば、ユーザは、迅速に、かつ容易に、編集を開始させることができる。
【図面の簡単な説明】
【図１】本発明を適用した光ディスク装置と、光ディスク装置に装着される光ディスクを示す図である。
【図２】撮影済みの光ディスクに記録されているデータと、その編集の例について示す図である。
【図３】撮影済みの光ディスクに記録されているデータと、その編集の他の例について示す図である。
【図４】光ディスク装置の構成例を示すブロック図である。
【図５】光ディスク装置の機能構成例を示すブロック図である。
【図６】光ディスクに記録されているデータのディレクトリの例を示す図である。
【図７】図６の「C0001」ディレクトリに記録されているファイルの例を示す図である。
【図８】光ディスク装置の複写処理について説明するフローチャートである。
【図９】光ディスク装置の複写処理について説明する、図８に続くフローチャートである。
【図１０】光ディスク装置の編集処理について説明するフローチャートである。
【図１１】光ディスク装置の他の複写処理について説明するフローチャートである。
【図１２】光ディスク装置の他の複写処理について説明する、図１１に続くフローチャートである。
【図１３】本発明を適用した複写システムの構成例を示す図である。
【図１４】図１３のパーソナルコンピュータの構成例を示すブロック図である。
【図１５】パーソナルコンピュータの機能構成例を示すブロック図である。
【図１６】パーソナルコンピュータの複写処理について説明するフローチャートである。
【図１７】パーソナルコンピュータの複写処理について説明する、図１６に続くフローチャートである。
【図１８】パーソナルコンピュータの他の複写処理について説明するフローチャートである。
【図１９】パーソナルコンピュータの他の複写処理について説明する、図１８に続くフローチャートである。
【図２０】光ディスク装置の他の複写処理について説明するフローチャートである。
【図２１】光ディスク装置の他の複写処理について説明する、図２０に続くフローチャートである。
【符号の説明】
１  光ディスク装置，  ２  光ディスク，  ９１  検出部，  ９２  光ディスクデータ読み出し部，  ９３  制御部，  ９４  モード設定部，  ９５  HDDデータ読み出し部，  ９６  書き込み部，  ９７  代表画生成部，  １１１  判定部，  １１２  XML解釈部，  １１３  編集制御部
【図１】
0003988079.tif 000002
【図２】
0003988079.tif 000003
【図３】
0003988079.tif 000004
【図４】
0003988079.tif 000005
【図５】
0003988079.tif 000006
【図６】
0003988079.tif 000007
【図７】
0003988079.tif 000008
【図８】
0003988079.tif 000009
【図９】
0003988079.tif 000010
【図１０】
0003988079.tif 000011
【図１１】
0003988079.tif 000012
【図１２】
0003988079.tif 000013
【図１３】
0003988079.tif 000014
【図１４】
0003988079.tif 000015
【図１５】
0003988079.tif 000016
【図１６】
0003988079.tif 000017
【図１７】
0003988079.tif 000018
【図１８】
0003988079.tif 000019
【図１９】
0003988079.tif 000020
【図２０】
0003988079.tif 000021
【図２１】
0003988079.tif 000022